(57)【要約】【課題】加熱状態表示器の部品点数を少なく抑え、誘導加熱調理器の製造コストの低減を図る。【解決手段】調理容器を載置する天板１２と、該天板１２の下方に配設した略円盤状の誘導加熱コイル１３と、誘導加熱コイル１３による加熱状態を表示する加熱状態表示器２０とを備えた誘導加熱調理器１であって、加熱状態表示器２０は、誘導加熱コイル１３の側部に設置された長尺状のケース２１と、該ケース２１の長手方向に沿って収容される長尺状の導光体４０と、ケース２１に取り付けられて導光体４０の長手方向の一端４０ａに対向する光源ユニット４１とを備え、ケース２１に形成した導光体収納部２２の内面２２ａにおける導光体４０の他端４０ｂに対向する面を白色の反射面３１としたことで、単一の光源ユニット４１のみで導光体４０の十分な発光が得られるようにした。【選択図】図３
2010182526.tif 000002
【特許請求の範囲】
【請求項１】
調理容器を載置する天板と、該天板の下方に配設した略円盤状の誘導加熱コイルと、前
記誘導加熱コイルによる加熱状態を表示するための加熱状態表示器と、を備えた誘導加熱
調理器であって、
前記加熱状態表示器は、前記誘導加熱コイルの側部に設置された長尺状のケースと、該
ケースの長手方向に沿って収容される長尺状の導光体と、前記ケースに取り付けられて前
記導光体の長手方向の一端に対向する光源部品と、を備え、
前記ケースは、前記導光体を囲む溝状の導光体収納部を備えており、前記ケースの少な
くとも前記導光体収納部の内面を白色としたことを特徴とする誘導加熱調理器。
【請求項２】
前記ケースは、白色の合成樹脂材料からなる成型品であることを特徴とする請求項１に
記載の誘導加熱調理器。
【発明の詳細な説明】
【技術分野】
【０００１】
本発明は、調理容器を誘導加熱コイルによる電磁誘導で加熱して当該調理容器に収容し
た被調理物を加熱調理する誘導加熱調理器に関する。
【背景技術】
【０００２】
従来、例えば特許文献１に示すように、調理容器を載置する天板と、該天板の下方に配
置した調理容器を加熱する誘導加熱コイルとを備えてなる誘導加熱調理器（いわゆるＩＨ
クッキングヒータ）がある。この種の誘導加熱調理器は、ガスを使わずに大きな火力で揚
げ物や煮物あるいは焼き物などの調理が行えるため、近年、各家庭において広く普及して
いる。
【０００３】
上記のような誘導加熱調理器は、誘導加熱コイルによる電磁誘導で調理容器を加熱する
ものであるため、ガスコンロのように実際に炎が出る構成ではない。そのため、火災や火
傷などの事故が起こりにくい反面、調理出力などの加熱状態の目視による確認が行えない
という問題がある。
【０００４】
そこで、特許文献１に示す誘導加熱調理器では、誘導加熱コイルの側部に加熱状態を表
示するための加熱状態表示器を設けている。加熱状態表示器は、誘導加熱コイルの手前側
外周部に配置した円弧帯状の導光板と、該導光板の長手方向の端部に対向させて設置した
ＬＥＤや蛍光ランプなどからなる光源部品とを備えて構成されている。このような加熱状
態表示器によれば、加熱調理が行われている誘導加熱コイルの手間側の天板を発光させる
ことができ、加熱状態を視覚的に判り易くできる。
【先行技術文献】
【特許文献】
【０００５】
【特許文献１】特開２００３−１９７３５７号公報
【発明の概要】
【発明が解決しようとする課題】
【０００６】
ところで、特許文献１に示す加熱状態表示器では、導光板を長手方向に沿って均一に光
らせるために、導光板の長手方向の両端部に対向させてそれぞれ１個ずつ光源部品が設置
されており、１個の加熱状態表示器に２個の光源部品が設置されている。しかしながら、
このように１個の加熱状態表示器に複数の光源部品を用いると、その分、加熱状態表示器
の部品点数が増え、誘導加熱調理器の製造コストの増加につながる。また、加熱状態表示
器の両端に設置した２個の光源部品を共通の回路部品に接続する必要があるため、配線の
取り回しが煩雑になり、誘導加熱調理器の内部構成が複雑化するという問題もある。
【０００７】
一方、特許文献１に示す加熱状態表示器において、導光板の長手方向の両端部に対向さ
せて配置した２個の光源部品のいずれかに代えて、鏡面状の反射板を設置することも可能
である。これによれば、反射板による反射光が光源の光と同様の働きをするため、導光板
を長手方向に沿って均一に光らせる作用がある。しかしながら、その場合でも、反射板が
必要であるため、加熱状態表示器の構成部品の種類が増えてしまう。
【０００８】
本発明は上述の点に鑑みてなされたものであり、その目的は、加熱状態表示器の部品点
数を少なく抑えることができ、製造コストの低減を図ることができる誘導加熱調理器を提
供することにある。
【課題を解決するための手段】
【０００９】
上記課題を解決するための本発明は、調理容器を載置する天板（１２）と、該天板（１
２）の下方に配設した略円盤状の誘導加熱コイル（１３）と、誘導加熱コイル（１３）に
よる加熱状態を表示するための加熱状態表示器（２０）と、を備えた誘導加熱調理器（１
）であって、加熱状態表示器（２０）は、誘導加熱コイル（１３）の側部に設置された長
尺状のケース（２１）と、該ケース（２１）の長手方向に沿って収容される長尺状の導光
体（４０）と、ケース（２１）に取り付けられて導光体（４０）の長手方向の一端（２１
ａ）に対向する光源部品（４１）と、を備え、ケース（２１）は、導光体（４０）を囲む
溝状の導光体収納部（２２）を備えており、該ケース（２１）の少なくとも該導光体収納
部（２２）の内面を白色としたことを特徴とする。
【００１０】
本発明にかかる誘導加熱調理器によれば、加熱状態表示器が備えるケースの少なくとも
導光体収納部の内面を白色としたことで、導光体収納部の内面による光の反射率が高めら
れるので、導光体に導入された光を効果的に拡散させることが可能となる。したがって、
従来は導光体の両端に対向させて１個ずつ設けていた光源部品を、導光体の一端に対向す
る１個のみ設置するようにしても、導光体を十分に光らせることが可能となる。よって、
光源部品の設置数を減らすことができ、反射板など他の部品を追加する必要もないので、
加熱状態表示器の部品点数を少なく抑えることができ、誘導加熱調理器の製造コストを低
減することができる。また、誘導加熱調理器の製造工程の容易化も図れる。
【００１１】
また、上記の誘導加熱調理器では、加熱状態表示器（２０）のケース（２１）は、白色
の合成樹脂材料からなる成型品とするとよい。これによれば、白色のケース（２１）を簡
単に製造できるようになるので、誘導加熱調理器の製造工程の簡素化につながる。
なお、上記の括弧内の符号は、後述する実施形態の対応する構成要素の符号を本発明の
一例として示したものである。
【発明の効果】
【００１２】
本発明にかかる誘導加熱調理器によれば、加熱状態表示器の部品点数を少なく抑えるこ
とができ、製造コストの低減を図ることができる。
【図面の簡単な説明】
【００１３】
【図１】本発明の一実施形態にかかる誘導加熱調理器の全体構成を示す斜視図である。
【図２】加熱状態表示器を示す斜視図である。
【図３】加熱状態表示器の構成部品を示す分解斜視図である。
【図４】加熱状態表示器を取り付けた誘導加熱コイルの構成例を示す斜視図である。
【発明を実施するための最良の形態】
【００１４】
以下、添付図面を参照して本発明の実施形態を詳細に説明する。図１は、本発明の一実
施形態にかかる誘導加熱調理器１の外観構成を示す斜視図である。同図に示す誘導加熱調
理器１は、システムキッチンなどにドロップイン方式で組み込まれて設置される調理器で
あり、略矩形状の筐体に収納された本体部１１と、本体部１１の上面に装着された耐熱ガ
ラス製の天板１２と、本体部１１の内部における天板１２の下方に設置された熱源となる
左右一対の誘導加熱コイル１３，１３と、それらの中央奥側に配置されたラジエントヒー
タ１７とを備えている。誘導加熱コイル１３、１３は、略円盤状の外形を有しており、天
板１２の手前側の左右にそれぞれ１個ずつ配置されている。
【００１５】
一方、本体部１１の前面１１ａの左側（正面から見た左側）には、手前側へ引き出し可
能に取り付けられたグリル扉１８が設けられている。また、グリル扉１８の右側には、操
作パネル１９が配置されている。操作パネル１９には、シーソー式の電源スイッチ１９ａ
、ランプ類１９ｂ、プッシュプッシュ式の操作つまみ１９ｃなどが配設されている。操作
つまみ１９ｃは、プッシュ操作により引き出されることで、誘導加熱コイル１３，１３や
ラジエントヒータ１７への通電による運転を開始できる一方、押し込まれることで、それ
らの運転が停止されるようになっている。また、操作つまみ１９ｃを引き出し位置で回転
操作することで、誘導加熱コイル１３，１３やラジエントヒータ１７による火力や調理時
間、調理温度などの各種設定が行えるようになっている。
【００１６】
誘導加熱コイル１３，１３の手前側の外周に沿う位置には、誘導加熱コイル１３，１３
の加熱状態を表示するための加熱状態表示器２０，２０が設けられている。加熱状態表示
器２０，２０は、誘導加熱コイル１３，１３の外周に沿う円弧型の帯状に形成されており
、発光により誘導加熱コイル１３，１３の加熱状態を視覚的に確認可能とするものである
。なお、天板１２は、表面に石目模様などの印刷を施してあるが、該表面の加熱状態表示
器２０，２０に対応する箇所には、印刷が施されていない透過窓１２ａ，１２ａが設けら
れている。透過窓１２ａ，１２ａにより、加熱状態表示器２０，２０の発光を天板１２の
上方から視認可能となっている。加熱状態表示器２０，２０は、後述するように誘導加熱
コイル１３，１３と一体に取り付けられている。
【００１７】
図２は、加熱状態表示器２０の全体構成を示す斜視図であり、図３は、加熱状態表示器
２０の構成部品を示す分解斜視図である。図２及び図３に示すように、加熱状態表示器２
０は、円弧型長尺状のケース２１と、ケース２１内に収容される導光体４０と、ケース２
１の長手方向の一端２１ａに取り付けられる光源ユニット（光源部品）４１とを備えて構
成されている。ケース２１は、白色の合成樹脂材からなる成型品であり、その全体が白色
に構成されている。該ケース１２は、略矩形の断面形状を有し、誘導加熱コイル１３の外
周に沿う長尺円弧状であり、その長手方向の略全体に渡って上面が開口する断面略矩形の
凹部からなる導光体収納部２２が設けられている。また、円弧状のケース２１の内側の側
壁２１ｃの内面には、該側壁２１ｃの上端から円弧中心に向かって突出する平板状の固定
片２３が一体形成されている。固定片２３は、ケース２１の上面と平行に延びる略矩形の
平板状に形成されている。そして、固定片２３には、その下面から下方に突出する円柱軸
状の固定ピン２４が一体形成されている。固定片２３及び固定ピン２４は、側壁２１ｃの
長手方向に沿う複数箇所に設けられており、本実施形態では、側壁２１ｃの長手方向の両
端近傍と中央付近の合計３箇所に等間隔に設けられている。
【００１８】
ケース２１の導光体収納部２２に収納される導光体４０は、アクリル樹脂あるいはポリ
カーボネイト樹脂などの透明あるいは半透明の合成樹脂材からなる成型品で、断面が円形
に形成された円柱棒状で、長手方向がケース２１の長手方向に沿う円弧形状に形成されて
いる。導光体４０は、その長手方向の端面から光を入射させると、入射した光が内部で拡
散することで、側面の略全体が発光するように構成されている。
【００１９】
光源ユニット４１は、平板状の基板部４２と、該基板部４２の一面に取り付けたＬＥＤ
を有してなる発光体４３と、該基板部４２の他面に取り付けた小型の回路部品４４と、該
回路部品４４から延びる配線４５とを備えて構成されている。基板部４２は、その外形が
ケース２１の長手方向の断面よりも一回り大きな略矩形状に形成されている。一方、ケー
ス２１の長手方向の一端２１ａには、光源ユニット４１を取り付けるための光源ユニット
取付部２５が設けられている。
【００２０】
光源ユニット取付部２５は、ケース２１の一端２１ａに一体形成した取付板２６と、該
取付板２６の上端に設けた係合片２８と下端に設けた係合片２７，２７とを備えてなるス
ナップイン係合部２９とで構成されている。取付板２６は、その面がケース２１の長手方
向に対して直交して配置され、光源ユニット４１の基板部４２の外形に沿う略矩形の平板
状に形成されており、面内の中央付近には、導光体収納部２２に貫通する開口部２６ａが
形成されている。開口部２６ａには、光源ユニット４１の発光体４３が配置されるように
なっている。また、取付板２６の上端に設けた係合片２８は、取付板２６の上端辺に沿っ
て突出する略コ字型の突起状に形成されており、取付板２６の下端に設けた係合片２７，
２７は、取付板２６の下端の両側からそれぞれ下方に突出する細片状に形成されている。
係合片２７，２７の先端の外面には、光源ユニット４１の基板部４２をスナップイン係合
させるための小突起状の爪部２７ａ，２７ａが一体形成されている。
【００２１】
また、ケース２１の長手方向の他端２１ｂには、導光体収納部２２の内面２２ａの一部
である反射面３１が設けられている。該反射面３１は、導光体収納部２２の長手方向に直
交した状態で導光体収納部２２の内側を向く平面で、導光体収納部２２の端面を覆うよう
に配置されている。
【００２２】
すなわち、ケース２１の長手方向の一端２１ａには、光源ユニット取付部２５が形成さ
れており、他端２１ｂには、反射面３１が形成されている。そして、ケース２１の長手方
向における光源ユニット取付部２５と反射面３１との間には、導光体収納部２２が配置さ
れている。
【００２３】
上記構成の加熱状態表示器２０を組み立てるには、まず、ケース２１の一端２１ａの光
源ユニット取付部２５に光源ユニット４１を取り付ける。これには、基板部４２の上端辺
を上側の係合片２８に当接させ、その状態で基板部４２の下端辺を下側の係合片２７，２
７にスナップイン係合させる。これにより、図２に示すように、基板部４２が取付板２６
に対して密着状態で固定される。そして、ケース２１の導光体収納部２２に導光体４０を
収納する。以上により、加熱状態表示器２０の組立が完了する。
【００２４】
この加熱状態表示器２０では、導光体収納部２２に収納された導光体４０の一端４０ａ
に発光体４３が対向しており、導光体４０の他端４０ｂに反射面３１が対向している。し
たがって、発光体４３の発光により導光体４０の一端４０ａから入射した光と、導光体４
０の他端４０ｂから出て反射面３１で反射した光との両方が導光体４０の内部で拡散され
、導光体４０の側面の全体が略均一に発光するようになっている。なお、発光体４３は、
少なくとも緑・オレンジ・赤の３色での発光が可能となっており、弱火−緑、中火−オレ
ンジ、強火−赤のように、誘導加熱コイル１３の加熱温度（出力）に対応して導光体４０
の発光色を切り換えることができる。
【００２５】
図４は、加熱状態表示器２０を取り付けた誘導加熱コイル１３の構成例を示す斜視図で
ある。同図に示すように、誘導加熱コイル１３は、コイル受皿１５に載置されたコイル本
体１４を備えている。コイル本体１４は、線状の導電材を同心円状に巻き回して略円盤状
に形成されており、コイル受皿１５は、コイル本体１４を載置可能な直径を有する略円盤
形状に形成されている。コイル受皿１５の手前側の端辺１５ａの近傍には、貫通孔からな
る固定用孔１５ｂが設けられている。固定用孔１５ｂは、加熱状態表示器２０の固定ピン
２４を挿入させて固定する円筒状の貫通孔からなり、固定ピン２４に対応した個数および
配置を有している。加熱状態表示器２０は、コイル受皿１５の手前側の端辺１５ａに沿っ
て該端辺１５ａとの間に若干の間隔を有した状態で固定されている。ケース２１の固定ピ
ン２４を固定用孔１５ｂに上方から挿通し、コイル受皿１５の下面側に突出する固定ピン
２４の先端を熱カシメなどで潰すことで、固定ピン２４が固定用孔１５ｂに固着されて、
加熱状態表示器２０がコイル受皿１５に取り付けられる。なお、本実施形態では、固定用
孔１５ｂは、ケース２１の固定ピン２４に対応する３個に加えて、その両側にもそれぞれ
１個ずつ設けられており、合計５個が設けられている。これにより、加熱状態表示器２０
の取付位置をコイル受皿１５の周方向で複数箇所（本実施形態では３箇所）から選択でき
るようになっている。
【００２６】
そして、本実施形態の誘導加熱調理器１では、図１に示すように、左右の誘導加熱コイ
ル１３，１３の各々に加熱状態表示器２０，２０が設置されている。この場合、左右の加
熱状態表示器２０，２０に接続する配線４５，４５の取り回しなどを考慮して、左右の加
熱状態表示器２０，２０の形状や配置を互いに左右対称としている。したがって、左右の
加熱状態表示器２０，２０は、ケース２１の形状が互いに対称に形成されており、ケース
２１に取り付けられた光源ユニット４１が互いに左右対称に取り付けられている。
【００２７】
そして、本実施形態の誘導加熱調理器１は、加熱状態表示器２０が備えるケース２１を
白色としたことで、導光体収納部２２の内面が白色の面になっている。したがって、反射
面３１による光の反射率が高められ、導光体４０に導入された光を効果的に拡散させるこ
とが可能となる。特に、本実施形態では、導光体収納部２２の内面の一部である反射面３
１が白色の面になっていることで、導光体４０の他端４０ｂでの光の反射率を高めること
ができる。したがって、導光体４０の他端４０ｂに対向する光源ユニットや反射板を設置
しなくても、導光体４０に導入された光をより効果的に拡散させることができる。
【００２８】
したがって、従来は導光体４０の両端に対向させて１個ずつ設けていた光源ユニット４
１を、導光体４０の一端４０ａに対向する１個のみ設置するようにしても、導光体４０を
十分に光らせることが可能となる。よって、光源ユニット４１の設置数を減らすことがで
き、かつ、反射板など他の部品を追加する必要もないので、加熱状態表示器２０の部品点
数を少なく抑えることができ、誘導加熱調理器１の製造コストを低減することができる。
また、部品点数を少なくしたことで、加熱状態表示器２０の組み立てが簡単に行えるよう
になるので、誘導加熱調理器１の製造工程の容易化も図れる。
【００２９】
なお、上記実施形態では、ケース２１が白色の合成樹脂材からなる成型品であり、その
全体が白色に構成されている場合を説明したが、これ以外にも、ケース２１自体を他の色
の材料で構成し、表面のみ白色に加工するようにしてもよい。その場合は、ケース２１の
表面に白色の塗料を塗布したり、白色のシールを貼付したりすることで、表面が白色にな
るような加工を施せばよい。また、その場合、ケース２１の少なくとも収納部２２の内面
が白色であればよく、他の部分は白色以外の色であってもよい。
【００３０】
以上本発明の実施形態を説明したが、本発明は上記実施形態に限定されるものではなく
、特許請求の範囲、及び明細書と図面に記載された技術的思想の範囲内において種々の変
形が可能である。なお直接明細書及び図面に記載のない何れの形状・構造・材質であって
も、本願発明の作用・効果を奏する以上、本願発明の技術的思想の範囲内である。例えば
、上記実施形態では、加熱状態表示器２０の光源としてＬＥＤを有してなる発光体４３を
用いた場合を説明したが、光源はこれに限定されることなく、他にも蛍光ランプ、ハロゲ
ンランプなどからなる発光体を用いてもよい。また、上記実施形態で示した加熱状態表示
器２０を構成するケース２１、導光体４０、光源ユニット４１の具体的な形状や構成はい
ずれも一例であり、他の形状や構成を採用することも可能である。したがって、例えば、
導光体４０は角柱状など円柱棒状以外の形状としても良いし、ケース２１の固定ピン２４
を角柱状など円柱状以外の形状に形成してもよい。
【符号の説明】
【００３１】
１        誘導加熱調理器
１１      本体部
１２      天板
１２ａ    透過窓
１３      誘導加熱コイル
２０      加熱状態表示器
２１      ケース
２２      導光体収納部
２３      固定片
２４      固定ピン
２５      光源ユニット取付部
２６      取付板
２６ａ    開口部
２９      スナップイン係合部
３１      反射面（白色面）
４０      導光体
４１      光源ユニット（光源部材）
４２      基板部
４３      発光体
４４      回路部品
４５      配線
【図１】
2010182526.tif 000003
【図２】
2010182526.tif 000004
【図３】
2010182526.tif 000005
【図４】
2010182526.tif 000006